(57)【要約】【課題】現状のＥＰＧ表示（画面上への表示）には解像度などの点から自ずと制限があり、特に一覧性という点で改善の余地がある。また、１週間程度あるいはそれ以上の期間の番組情報の送出頻度は低い場合が多く、受信するまでに多くの時間を要すなどの問題点がある。【解決手段】一覧性に優れた放送予定番組表のユーザへの提示に加え、紙への直接記入という、人間の感性に直結する方法での録画予約を提供する。また、一覧性の改善に加え、録画予約のマーキング欄を合わせて出力し、かつ、印刷出力にユーザが施したマーキングを読み込むことで、録画予約が完了する機能の提供など、ユーザに対して更なる利便性を提供する。さらに、もともと受信装置に具備されているＥＰＧに対して予約状況を反映可能とすることでユーザの利便性を向上させる。【選択図】  図１
2004289483.tif 000002
【特許請求の範囲】
【請求項１】
デジタル放送で送信されるストリームデータから、番組の放送スケジュール情報（ＥＩＴなど）を選択的に受信する番組スケジュール情報選択受信部と、
前記番組スケジュール情報選択受信部で受信した番組スケジュール情報から電子番組表（ＥＰＧ）を構成する電子番組表構成部と、
前記電子番組表構成部にて構成した電子番組表の情報と、その電子番組表で示される番組の録画予約の指示の記載欄である録画指示記載欄と、を印刷情報として出力する印刷部と、
前記印刷部にて印刷された録画指示記載欄に記載される録画指示を読み取る録画指示読取部と、
前記録画指示読取部で読み取られた録画指示に基づいて録画の予約を行う録画予約部と、
を有することを特徴とするデジタル放送受信装置。
【請求項２】
さらに前記録画指示読取部で読み取られた録画指示を電子番組表に反映して出力する録画指示電子番組表出力部を有する請求項１に記載のデジタル放送受信装置。
【請求項３】
前記印刷部は、ファクシミリ装置の印刷機能を利用して前記印刷を行う請求項１又は２に記載のデジタル放送受信装置。
【請求項４】
前記録画指示読取部は、ファクシミリ装置の読取機能を利用して前記読取を行う請求項１から３のいずれか一に記載のデジタル放送受信装置。
【請求項５】
前記印刷情報には、前記録画指示記載欄の配置を前記録画指示読取部に認識させるためのマーカーが印刷される請求項１から４のいずれか一に記載のデジタル放送受信装置。
【請求項６】
前記印刷部は、さらに電子番組表で示される録画予約の指示の取消である取消指示の記載欄である録画取消指示記載欄を印刷情報として印刷し、
前記録画指示読取部は、前記録画取消指示記載欄に記載される取消指示を読取り、
前記録画予約部は、前記録画指示読取部が読み取った前記取消指示に基づいて録画の予約の取消を行う請求項１から５のいずれか一に記載のデジタル放送受信装置。
【請求項７】
前記印刷部は、前記印刷情報の出力動作を一定期間（時刻）毎に自動的に行う自動印刷手段を有することを特徴とする請求項１から６のいずれか一に記載のデジタル放送受信装置。
【請求項８】
前記印刷部は、前記印刷情報の出力動作を、予め登録したジャンル情報に基づき、自動的に行う特定ジャンル印刷手段を有することを特徴とする請求項１から６のいずれか一に記載のデジタル放送受信装置。
【請求項９】
前記印刷部は、前記予め登録したジャンル情報に関係する番組に限定して前記録画取消指示記載欄を含む印刷情報を出力し、
前記録画予約部は、前記登録したジャンル情報に関係する番組の録画予約である登録ジャンル番組録画予約を行い、
前記録画指示読取部は、前記録画取消指示記載欄に記載される取消指示を読取り、
前記録画予約部は、前記録画指示読取部が読み取った前記取消指示に基づいて前記登録ジャンル番組録画予約の取消を行う請求項１から６のいずれか一に記載のデジタル放送受信装置。
【発明の詳細な説明】
【０００１】
【産業上の利用分野】
本発明はデジタル放送受信装置、特に、録画予約機能のあるデジタル放送受信装置に関する。
【０００２】
【従来の技術】
日本国内においても衛星デジタルテレビジョン放送を皮切りに、テレビジョン放送のデジタル化が進展しつつある。デジタル放送においては、番組そのものを構成する映像、音声情報に加えて、デジタル伝送の特質を生かし、今後の放送予定の情報などを送ることが可能なため、従来のアナログ放送に比較して、利用者の利便性が向上している。
【０００３】
とりわけ、放送予定の番組情報の入手および、番組の選択において大きな改善が行われ、従来、新聞・雑誌などで提供されていた放送予定に比較し、長期間かつ多くの放送予定情報が送信されている。合わせて、受信装置側の機能として、これらの情報を電子番組表（Ｅｌｅｃｔｒｏｎｉｃ  Ｐｒｏｇｒａｍ  Ｇｕｉｄｅ：以下ＥＰＧと称す）として、画面に一覧表示することにより利便性が向上している。
【０００４】
更に、録画機能を搭載したデジタル放送受信装置では、番組の録画予約においても格段に利便性が高まっている。そしてＥＰＧの表示画面上で、希望する番組を選択するだけで、録画の予約が完了するなどの利便性をあわせて享受することが可能となっている。
【０００５】
また、番組の放送予定に加え、それぞれの番組に付随する番組関連情報が送出されている。例えば、番組がどのジャンルに属するか等について、放送中あるいは放送前に把握することが可能となっている。
【０００６】
さらに、ＥＰＧを印刷出力する技術としては、特開２００１−３０９１８７がある。この技術は画面上に表示されたＥＰＧ等を忠実に印刷出力するものである。
【０００７】
さらに、番組表を印刷すると共に、印刷された番組表にユーザが予約情報を書き込んだ後、スキャナ等で読み込んで予約を行うものとして、適用メディアがファクシミリ放送ではあるが、特開昭５９−１９１９６５がある。
【０００８】
＜＜従来例＞＞
【０００９】
図１１に示すのは従来例である。従来例と本発明に共通する一般的な受信装置の動作について説明を行う。
【００１０】
＜従来の構成＞
【００１１】
図１１における従来のデジタル放送受信装置は、アンテナ部１と、チューナ部２と、復調部３と、番組スケジュール情報選択受信部４と、復号・画像再生部５と、映出装置６と、記録部７と、システム制御部８と、リモコン装置９と、リモコンインタフェース部１０と、通信制御インタフェース部１１と、公衆網１２と、からなる。
【００１２】
さらに、システム制御部は、電子番組表構成部８１を有する。
【００１３】
さらに、電子番組表構成部は、ＥＰＧ情報抜取手段８１１と、ＥＰＧ情報構成手段８１２とからなる。
【００１４】
＜一般的受信装置の処理の流れ＞
【００１５】
図１１において、アンテナ部によって高周波信号がチューナ部に導かれる。本従来例では、アンテナ部は八木アンテナを模して書かれているが、衛星放送の受信時にはパラボラアンテナとＬＮＢ（Ｌｏｗ  Ｎｏｉｓｅ  Ｂｌｏｃｋ  Ｃｏｎｖｅｒｔｅｒ）の組み合わせとなるなど、伝送路に応じたアンテナ部及びチューナ部が用いられる。
【００１６】
チューナ部はアンテナ部から入力される高周波信号から、所定の帯域を持った高周波信号のうち、所望の放送周波数の信号を選択し、中間周波信号（ＩＦ）あるいはベースバンド信号として出力する。（中間周波信号、ベースバンド信号の何れを用いるかはシステムに依存する）。チューナ部の出力は復調部の入力となる。復調部は伝送路および、放送方式によって定められた所定方式の変調信号を復調し、デジタル信号として出力する。復調されたデジタル信号には、符号化されたテレビジョン放送（映像、音声）、番組配列情報、番組属性情報などが多重された状態となっている。
【００１７】
復調部において復調されたデジタル信号は「番組スケジュール情報選択受信部」の入力となり、「番組スケジュール情報選択受信部」において、目的とする番組の選択あるいは、番組情報の抜き取りが行われる。「番組スケジュール情報選択受信部」において選択されたデータには、符号化された映像情報、音声情報、番組配列情報、番組属性情報などが含まれる。これらのうち、番組配列情報、番組属性情報はシステム制御部の「電子番組表構成部」内部の「ＥＰＧ情報抜取手段」に送られ、更に「ＥＰＧ情報構成手段」により情報の意味解釈、選別、ＥＰＧへの構成が行われる。ＥＰＧの表示形態などについては後述する。
【００１８】
一方、「番組スケジュール情報選択受信部」の出力のうち、映像、音声の情報は、復号・画像再生部の入力となり、映像信号、音声信号に復号された後、映出装置において視聴可能な状態とされる。また、「番組スケジュール情報選択受信部」のもう一つの出力は記録部の入力となり、映像、音声データが、必要とされる番組配列情報、番組属性情報と共に記録される。
【００１９】
記録部に記録されたデジタル信号は、ユーザの要求に応じて再生動作が行われる。再生動作時には、記録部のデータが再生され、「番組スケジュール情報選択受信部」の出力と同様の信号形式とされ、復号・画像再生部の入力として供給される。復号・画像再生部以降の動作は、放送受信による視聴と同様な処理が行われ、記録部に蓄えられたデータは映出装置において視聴可能な状態とされ、ユーザに提示される。
【００２０】
システム制御部は上記の一連の動作を連携をもって制御し、これら一連の動作により、リアルタイムの視聴および記録・再生機能が実現される。また、本従来例においては、ユーザからの指示を機器に伝達し、制御に反映させる手段として、リモコン装置を具備している。リモコン装置が赤外線を使用したリモコンの場合には、ユーザが行ったボタン操作をそれぞれのボタン操作に対して予め決定された信号形式に変換し、最終的には、変調された赤外線信号として送出する。リモコン装置から送られた赤外線信号はリモコンインタフェース部に入力される。リモコンインタフェース部では到来する光の中から、所望の赤外線信号のみを選択的に受光し、変調波を復調した後、システム制御部に伝達する。システム制御部はリモコン装置によって伝達されたユーザのキー操作を解釈し、チューナ部による選局、復調部、番組スケジュール情報選択受信部、復号・画像再生部の制御、記録部への記録・再生動作（録画、再生動作）の指示などを行う。以上の操作により、ユーザは自分の希望する番組の視聴を受信装置に指示し、視聴、記録、再生などの操作を行うことが出来る。
【００２１】
本従来例に示す典型的な受信装置では公衆網に接続する通信制御インタフェース部を具備しており、これにより、通信網（公衆網）を介して、テレビジョン放送、データ放送のセンタ側との接続を確立し、双方向サービスを可能としている。
【００２２】
＜番組情報からのＥＰＧ構成と表示＞
【００２３】
通常のデジタル放送用受信装置には、上で述べた番組情報、番組関連情報をＥＰＧとして構成し、ユーザに対して提示する機能を有するのが一般的である。
【００２４】
番組情報の送り方、提示の方式は、放送方式、放送事業者、受信装置メーカーなどにより異なるが、縦軸あるいは横軸の一方を日時の表示に使用し、もう一方を放送事業者、放送チャンネル（サービスＩＤ）の表示として、放送開始時刻、放送終了時刻（時系列的に直後に位置する番組の開始時刻表示により同等の意味合いを持たせる場合もある）、番組名などを帯状の形状で表示するのが一般的である。縦横のどちらの軸を何れの表示とするかは、事業者、メーカーなどに依存する。システム制御部は、番組スケジュール情報選択受信部から番組関連の情報を受け取り、解析を行った上で、上記で説明した提示方法等に構成し、復号・画像再生部に内包される機能の一部であるＯＳＤ（Ｏｎ  Ｓｃｒｅｅｎ  Ｄｉｓｐｌａｙ）機能により画面上に表示される。
【００２５】
以上が、従来例、本発明に共通な受信動作、記録・再生動作の概要である。
【００２６】
【特許文献１】特開２００１−３０９１８７
【特許文献２】特開昭５９−１９１９６５
【００２７】
【発明が解決しようとする課題】
上述の通り、テレビジョン放送のデジタル化および、録画・再生機能を内蔵したデジタル放送受信装置の出現などにより、利便性が格段に向上している。
【００２８】
しかしながら、現状のＥＰＧ表示（画面上への表示）には解像度などの点から自ずと制限があり、特に一覧性という点で改善の余地がある。即ち、一般ユーザが長年慣れ親しんできた新聞のテレビ欄の様に、ある程度の一覧性を持った提示をする事で、さらにユーザの利便性を更に向上させることが期待されるところである。
【００２９】
また、放送帯域が限られているということから、実際の運用面においては、当日あるいは翌日の放送分の番組等、比較的短期の情報は高い頻度で送られている。しかし、１週間程度あるいはそれ以上の期間の番組情報の送出頻度は低い場合が多く、受信するまでに多くの時間を要すなどの問題点がある。
【００３０】
一般的には、１週間分の全局の番組を一覧で画面上に表示することは難しく、スクロールなどを用いて選択を行うことが行われている。
【００３１】
【課題を解決するための手段】
本発明は、上記課題に鑑みてなされたものであり、一覧性に優れた放送予定番組表のユーザへの提示に加え、紙への直接記入という、人間の感性に直結する方法での録画予約を提供することを目的としている。
【００３２】
本発明は、ただ単に画面に表示された状態のままを印刷するのではない。一覧性の改善に加え、録画予約のマーキング欄を合わせて出力し、かつ、印刷出力にユーザが施したマーキングを読み込むことで、録画予約が完了する機能の提供など、ユーザに対して更なる利便性を提供することを目的としている。
【００３３】
さらに、もともと受信装置に具備されているＥＰＧに対して予約状況を反映可能とすることでユーザの利便性を向上させる。加えて、デジタル放送に特有のジャンル情報を用いて、ユーザに対して真に必要な番組情報のみをフィルタリングする形で提供することで、ユーザの利便性を更に向上させる。さらに、ユーザの嗜好傾向の学習機能を合わせることで、更に高度な利便性を提供しようとするものである。
【００３４】
第一の発明は、デジタル放送で送られるストリームデータから、番組の放送予定の情報（ＥＩＴなど）を選択的に受信し、電子番組表（ＥＰＧ）として構成する手段を有し、該ＥＰＧ情報と共に録画予約の指示の記載欄を印刷情報として出力する手段を有し、且つ、該印刷情報の録画予約記載欄に対するユーザの記入情報（塗りつぶしあるいはチェック等）を読み取る手段および、該読取手段により入力された情報を解析する手段を有し、録画の予約を行う手段を有することを特徴とするデジタル放送受信装置に関する。
【００３５】
第二の発明は、出力手段および読取（入力）手段として、ＦＡＸを用いるものにあっては、ＦＡＸによる送受機能を具備することを特徴とするデジタル放送受信装置に関する。
【００３６】
第三の発明は、ＥＰＧの出力を行う契機として、一定期間毎の出力を行うものにあっては、日時比較による出力起動手段を具備することを特徴とするデジタル放送受信装置に関する。
【００３７】
第四の発明は、予め登録されたジャンルに該当する番組の有無を契機とするものにあっては、ジャンルの事前登録手段および、該当番組の検出を契機とする出力手段を具備することを特徴とするデジタル放送受信装置に関する。
【００３８】
【発明の実施形態】
＜＜実施形態１＞＞
【００３９】
＜実施形態１の概念＞
【００４０】
実施形態１は、一覧性に優れた放送予定番組表のユーザへの提示に加え、紙への直接記入という、人間の感性に直結する方法での録画予約を提供する。また、ただ単に画面に表示された状態のままを印刷するのではない。一覧性の改善に加え、録画予約のマーキング欄を合わせて出力し、かつ、印刷出力にユーザが施したマーキングを読み込むことで、録画予約が完了する機能の提供など、ユーザに対して更なる利便性を提供することを特徴とする。
【００４１】
＜構成要件の明示＞
【００４２】
図１に示すのは、実施形態１の説明図である。
【００４３】
実施形態１のデジタル放送受信装置０１００は、番組スケジュール情報選択受信部４と、システム制御部８と、からなる。
【００４４】
また、システム制御部は電子番組表構成部８１と、印刷部８２と、録画指示読取部８３と、録画予約部８４と、録画指示電子番組表出力部８５と、からなる。
【００４５】
本発明に必須の上記構成要件に加えて、アンテナ部１と、チューナ部２と、復調部３と、復号・画像再生部５と、映出装置６と、記録部７と、リモコン装置９と、リモコンインタフェース部１０と、通信制御インタフェース部１１と、公衆網１２と、からなる構成が一般的である。
【００４６】
なお、電子番組表構成部のＥＰＧ情報抜取手段とＥＰＧ情報構成手段、印刷部の印字情報発生手段と印字情報出力手段、録画指示読取部、録画予約部、録画指示電子番組表出力部は、ソフトウエアにより実現される部分が含まれる。そのため、ハードウエア構成上において従来例と相違点が現出しない部分もあるが、実現方法を明示的に示すため、このような表記として記載した。付け加えるなら、一般的な受信動作に関しては、上述した従来例の動作と変わるところはない。
【００４７】
＜構成要件の説明＞
【００４８】
（番組スケジュール情報選択受信部）
【００４９】
番組スケジュール情報選択受信部は、デジタル放送で送信されるストリームデータから、番組の放送スケジュール情報（ＥＩＴ：Ｅｖｅｎｔ  Ｉｎｆｏｒｍａｔｉｏｎ  Ｔａｂｌｅなど）を選択的に受信する。
【００５０】
処理の流れは、＜＜従来例＞＞の＜一般的受信装置の処理の流れ＞と共通であるので、説明を省略する。
【００５１】
（電子番組表構成部）
【００５２】
電子番組表構成部は、番組スケジュール情報選択受信部で受信した番組スケジュール情報から電子番組表（ＥＰＧ）を構成する。
【００５３】
さらに、「電子番組表構成部」は、ＥＰＧ情報抜取手段８１１と、ＥＰＧ情報構成手段８１２と、からなる。
【００５４】
処理の流れは、＜＜従来例＞＞の＜一般的受信装置の処理の流れ＞と共通であるので、説明を省略する。
【００５５】
（印刷部）
【００５６】
印刷部は、電子番組表構成部にて構成した電子番組表の情報と、その電子番組表で示される番組の録画予約の指示の記載欄である録画指示記載欄と、を印刷情報として出力する。
【００５７】
さらに、「印刷部」は、印字情報発生手段８２１と、印字情報出力手段８２２と、からなる。
【００５８】
処理の流れについては、下記＜処理の流れ＞の項で説明する。
【００５９】
（録画指示読取部）
【００６０】
録画指示読取部は、印刷部にて印刷された録画指示記載欄に記載される録画指示を読み取る。
【００６１】
処理の流れについては、下記＜処理の流れ＞の項で説明する。
【００６２】
（録画予約部）
【００６３】
録画予約部は、録画指示読取部で読み取られた録画指示に基づいて録画の予約を行う。
【００６４】
処理の流れについては、下記＜処理の流れ＞の項で説明する。
【００６５】
（録画指示電子番組表出力部）
【００６６】
録画指示電子番組表出力部は、録画指示読取部で読み取られた録画指示を電子番組表に反映して出力する。
【００６７】
なお、請求項１においては、録画指示電子番組表出力部は必須の構成要件ではない。
【００６８】
処理の流れについては、下記＜処理の流れ＞の項で説明する。
【００６９】
＜処理の流れ＞
【００７０】
次に、実施形態１の処理の流れについて説明する。
【００７１】
（ＥＰＧ情報の構成、印字情報の発生）
【００７２】
一部の説明は重複するが、ＥＰＧ関係データの処理の流れについて説明する。
【００７３】
放送波に多重されたＥＰＧ情報は、＜＜従来例＞＞の＜一般的受信装置の処理の流れ＞の項で説明した通り、アンテナ部、チューナ部、復調部、番組スケジュール情報選択受信部を経由して、信号が選択され、ＥＰＧ情報抜取手段に送られる。
【００７４】
「ＥＰＧ情報抜取手段」では、ＥＰＧに必要な情報が更に選択され、必要な情報のみが、選択的にＥＰＧ情報構成手段に送られる。
【００７５】
「ＥＰＧ情報構成手段」では、画像表示用のＥＰＧとして構成し、復号・画像再生部に送り、復号・画像再生部から、映像信号として、ユーザに提示される。
【００７６】
一方、「ＥＰＧ情報構成手段」は、印字情報発生手段に対しても情報を送り、印字用のＥＰＧとして構成が行われる。
【００７７】
通常、映像信号経由でのＥＰＧ提示においては、画面解像度などに制約があり、一覧性の点で、改善の余地がある。
【００７８】
印刷における解像度は、画面への提示に比べると、圧倒的な情報量を出力可能であり、一覧性を格段に改善することが出来る。また、長期にわたる番組情報の取得には比較的時間を要する。そこで、一旦受信した番組情報を印刷情報として、出力しておけば、受信装置の電源の状況（ＯＮ・ＯＦＦ）に関わらず、任意の時に番組情報を確認出来るという利点を合わせて提供することが出来る。
【００７９】
「印字情報発生手段」で構成された印刷用ＥＰＧは「印字情報出力手段」を経由して印刷出力となる。
【００８０】
図２にＥＰＧの印刷出力例を示す。ＥＰＧ表示の方法については、従来例の説明で記した通り、縦横の一方を日時、もう一方を放送事業者・チャンネル名とするのが一般的である。実施形態１では、横軸を日時としているが、日時を縦軸にするなど、表示形態については、この例に限定されるものではない。
【００８１】
実施形態１においては、放送予定の番組を帯状の形状で表示している。同図下部に表示の一部分の拡大図を示している。帯の中に開始時刻を示している。また、終了時刻を合わせて表示しても良いが、実施形態１では、時系列的に直後の番組の開始時刻を表示することで代用している。これにより、放送時間の短い番組の表示が煩雑になることを避ける事が出来るが表示方法は任意の事項である。
【００８２】
また、図２においては、下部に２種類の拡大図を示している。これら２つの種類の予約方法に対応した例を以下に示す。なお、最下部に示す方法では、予約のためのチェックボックスを設けている。
【００８３】
印刷出力の契機としては、一定時刻毎（毎日決まった時刻、１週間の決まった曜日の決まった時刻）などが考えられる。
【００８４】
その他に、予め登録しておいたジャンルの番組が検出されたことを契機とするなどが考えられる。この場合、所定のジャンルとの一致が発生したかどうかは、ＥＰＧ情報抜取手段および、ＥＰＧ情報構成手段において判断を行えば良い。そして、特定ジャンル番組の検出を契機として、印字情報発生手段の動作を開始し、印字情報出力手段を経由して印刷出力を制御すれば良い。
【００８５】
（予約方法（記入例））
【００８６】
予約方法（記入例）を図３に示す。この例では、ＥＰＧに示された各番組の帯状の表示部分を塗りつぶすことで予約の情報とする例を示している。この様な方法では、収録時間（長さ）などをユーザが直感的に捉えやすいという利点がある反面、広い面積を塗りつぶす必要がある。
【００８７】
もう一つの予約方法（記入例）を図４に示す。同図では、図２の最下部に示した方式、即ち、チェックボックスを用いた場合の例を示している。つまり、チェックボックス（比較的面積の小さいチェック欄）をチェックする（あるいは塗りつぶす）ことで、録画予約のマークとするものである。この場合は、広い面積を塗りつぶす必要は無くなるが、読取・解析（位置の特定）を行う際に工夫（精度を上げるなど）が必要となる。この工夫の一つの例は後述する。
【００８８】
（予約動作・録画動作）
【００８９】
予約が記入されたシートは「録画指示読取部」で読みこまれる。
【００９０】
読みこまれた情報は「録画予約部」で受信装置内部に保存された印刷情報とＥＰＧの対応関係から、番組の各種情報（チャンネル、開始時刻、終了時刻など）に逆変換される。
【００９１】
「録画指示電子番組表出力部」は該番組の各種情報と現在時刻の比較を行い、所定の時刻になったら、記録部に対して記録の指示を行う。
【００９２】
以上の一連の動作により、録画予約から録画までの動作が実現される。予約動作が完了した後、予約状況をＥＰＧに反映させることで、ユーザが確認可能となると共に、既に予約済の番組に対する２重の予約動作を防止することができる。
【００９３】
予約された番組の表示（提示）方法は図示していないが、例えば、帯状に表示された番組の色調を変化させることや、帯の輪郭を縁取るなど、比較的容易な方法で、ユーザに対する表示（提示）が可能である。
【００９４】
＜動作フローチャート＞
【００９５】
図５に示すのは、実施形態１の動作フローチャートである。
【００９６】
まず、番組スケジュール情報選択受信部は、デジタル放送で送信されるストリームデータから、番組の放送スケジュール情報（ＥＩＴなど）を選択的に受信する（ステップＳ０５０１）。
【００９７】
次に、電子番組表構成部は、ステップＳ０５０１で受信した番組スケジュール情報から電子番組表を構成する（ステップＳ０５０２）。
【００９８】
次に、印刷部は、電子番組表構成部にて構成した電子番組表の情報と、その電子番組表で示される番組の録画予約の指示の記載欄である録画指示記載欄と、を印刷情報として出力する（ステップＳ０５０３）。
【００９９】
次に、録画指示読取部は、印刷部にて印刷された録画指示記載欄に記載される録画指示を読み取る（ステップＳ０５０４）。
【０１００】
次に、録画予約部は、録画指示読取部で読み取られた録画指示に基づいて録画の予約を行う（ステップＳ０５０５）。
【０１０１】
さらに、録画指示電子番組表出力部は、録画指示読取部で読み取られた録画指示を電子番組表に反映して出力する（ステップＳ０５０６）。
【０１０２】
＜効果＞
【０１０３】
以上説明した様に、実施形態１に記載の発明によれば、ＥＰＧの表示を印刷出力することで、従来のディスプレイ表示において、一覧性に乏しかった点を大幅に改善すると供に、受信装置の電源の状態によらず、ユーザは番組情報を一覧性に優れた状態で確認可能となる。また印刷出力に対して、ユーザが録画予約のマークを行い、読取装置により読み取ることで、録画の予約を完了することが出来る。そのため、直感的操作性および複数番組の一括予約などが可能となり、ユーザの利便性を著しく向上させることが出来る。また、予約状況をＥＰＧに反映させ表示（提示）することで、ユーザが同一番組を２重に予約するなどの誤操作防止に役立ち、利便性の向上を図ることができる。
【０１０４】
＜＜実施形態２＞＞
【０１０５】
＜実施形態２の概念＞
【０１０６】
実施形態２は、実施形態１において、印刷部の印刷情報の出力あるいは録画指示の読取をファクシミリ装置の印刷機能を利用して行うことを特徴とするデジタル放送受信装置に関する。それ以外の点は同様であるので、相違点のみ説明する。
【０１０７】
＜構成要件の明示＞
【０１０８】
図６に示すのは、実施形態２の説明図である。
【０１０９】
実施形態２のデジタル放送受信装置０６００は、番組スケジュール情報選択受信部４と、システム制御部８と、ファクシミリ装置１４と、からなる。
【０１１０】
ファクシミリ装置（ＦＡＸ）は、ＦＡＸインタフェース部１３を介して、通信制御インタフェース部と接続される。
【０１１１】
＜構成要件の説明＞
【０１１２】
（ファクシミリ装置）
【０１１３】
前記印刷部は、ファクシミリ装置の印刷機能を利用して前記印刷を行う。
【０１１４】
前記録画指示読取部は、ファクシミリ装置の読取機能を利用して前記読取を行う。
【０１１５】
図６は印刷及び読取を行う機器として、広く普及しているＦＡＸを利用可能としたものである。同図においては、ＦＡＸインタフェース部を具備することで、ＦＡＸとの通信を可能とし、印刷出力および、記入済みシートの読取を実現している。ＦＡＸインタフェース部は通常のファクシミリの機能あるいはそのサブセットおよび、公衆網に用いられる直流回路（通話の選択及び保持用の仕組み）を組み合わせることで容易に実現される。
【０１１６】
上記以外の構成要件は、実施形態１と同様であるので、説明を省略する。
【０１１７】
＜処理の流れ＞
【０１１８】
前記印刷部が、ファクシミリ装置の印刷機能を利用して前記印刷を行い、前記録画指示読取部が、ファクシミリ装置の読取機能を利用して前記読取を行う点以外は、実施形態１と同様であるので、説明を省略する。
【０１１９】
＜動作フローチャート＞
【０１２０】
図７に示すのは、実施形態２の動作フローチャートである。
【０１２１】
まず、番組スケジュール情報選択受信部は、デジタル放送で送信されるストリームデータから、番組の放送スケジュール情報（ＥＩＴなど）を選択的に受信する（ステップＳ０７０１）。
【０１２２】
次に、電子番組表構成部は、ステップＳ０７０１で受信した番組スケジュール情報から電子番組表を構成する（ステップＳ０７０２）。
【０１２３】
次に、印刷部は、ファクシミリ装置の印刷機能を利用して、電子番組表構成部にて構成した電子番組表の情報と、その電子番組表で示される番組の録画予約の指示の記載欄である録画指示記載欄と、を印刷情報として、通信制御インタフェース部を経由して、ファクシミリ装置に出力する（ステップＳ０７０３）。
【０１２４】
次に、録画指示読取部は、ファクシミリ装置の読取機能を利用して、通信制御インタフェース部経由で、印刷部にて印刷された録画指示記載欄に記載される録画指示を読み取る（ステップＳ０７０４）。
【０１２５】
次に、録画予約部は、録画指示読取部で読み取られた録画指示に基づいて録画の予約を行う（ステップＳ０７０５）。
【０１２６】
さらに、録画指示電子番組表出力部は、録画指示読取部で読み取られた録画指示を電子番組表に反映して出力する（ステップＳ０７０６）。
【０１２７】
＜効果＞
【０１２８】
実施形態２に記載の発明によれば、上記印刷出力、入力手段として、一般に広く普及しているＦＡＸを用いることが可能となり、機器構成上簡便な手段で効果を実現できる。そのため、機器構成における構成要素の削減によるコストダウンを図ることが出来る。
【０１２９】
＜＜実施形態３＞＞
【０１３０】
＜実施形態３の概念＞
【０１３１】
実施形態３は、実施形態１又は２において、印刷部の印刷情報には、録画指示記載欄の配置を録画指示読取部に認識させるためのマーカーが印刷されることを特徴とするデジタル放送受信装置に関する。それ以外の点は同様であるので、相違点のみ説明する。
【０１３２】
＜構成要件の明示＞、＜構成要件の説明＞
【０１３３】
実施形態１又は２と同様であるので説明を省略する。
【０１３４】
＜処理の流れ＞
【０１３５】
（印刷出力例）
【０１３６】
図８に示すのは、特に図２の最下部に示すマーキング方式の様に比較的小さい面積の録画予約欄に施されたマークをより精度良く読み取るのに好適な方法の一例である。印刷されたＥＰＧの周辺部に、各録画予約欄に対応する形でパターンを配置した事を特徴としている。
【０１３７】
なお、図８においては、２日分、２事業者、６チャンネル分で例示しているが、これは説明における煩雑さを避けるためであり、ユーザへの提示においては、より一覧性を向上させた提示とする事が出来る。
【０１３８】
実施形態３では、直線状のパターンを配置し、録画予約欄のマーク（塗りつぶし）の判別の際にストローブ信号として利用可能となっている。原理的には、ストローブ信号は両脇には必要ないが、両側に設けることで、シートの読取を行う際の傾斜などの補正に利用可能となるばかりでなく、一方の情報が失われた際の冗長情報としても利用可能である。
【０１３９】
それ以外の処理の流れは実施形態１又は２と同様であるので説明を省略する。
【０１４０】
＜動作フローチャート＞
【０１４１】
印刷出力例が図８であること以外は実施形態１又は２と同様であるので説明を省略する。
【０１４２】
＜効果＞
【０１４３】
実施形態３に記載の発明によれば、ＥＰＧ印刷出力の周辺部に録画予約欄の位置を特定するパターンを配置することで、録画予約における塗りつぶし等の面積の縮小と確実な読取動作の両立を図ることが可能となる。そして、ユーザの操作性が更に向上すると供に、本発明が、読取機構の精度、解析精度などを補う効果を発揮し、より合理的で簡便な機器構成により同等機能の実現を可能とする効果がある。
【０１４４】
＜＜実施形態４＞＞
【０１４５】
＜実施形態４の概念＞
【０１４６】
実施形態４は、実施形態１から３のいずれか一において、印刷部は、録画取消指示記載欄を印刷情報として印刷し、録画指示読取部は、録画取消指示記載欄に記載される取消指示を読取り、録画予約部は、録画指示読取部が読み取った取消指示に基づいて録画の予約の取消を行うことを特徴とするデジタル放送受信装置に関する。それ以外の点は同様であるので、相違点のみ説明する。
【０１４７】
＜構成要件の明示＞、＜構成要件の説明＞
【０１４８】
実施形態１から３のいずれか一と同様であるので説明を省略する。
【０１４９】
＜処理の流れ＞
【０１５０】
（印刷出力例）
【０１５１】
図９に示すのは、実施形態４に関する印刷出力例を示している。同図において、上側に示すシートは、ユーザが予約完了後に出力されるシートで、録画予約済み番組の周辺が太線でハイライトされている。また、録画予約済みの番組には、録画取消用のチェック欄が配されている。本チェック欄は録画の予約時に使用するものと同一形状でも差し支えないし、異なる形状としても良い。
【０１５２】
一方同図下側の図はユーザがチェック欄に記入を施した例であり、実施形態４では、一つの番組のチェック欄が塗りつぶされている。このシートを録画予約時と同様の手続きで読みこませることで、録画状況の正確な把握に加え、録画予約の取消を容易に行うことができる。
【０１５３】
それ以外の処理の流れは実施形態１から３のいずれか一と同様であるので説明を省略する。
【０１５４】
＜動作フローチャート＞
【０１５５】
印刷出力例が図９であること以外は実施形態１から３のいずれか一と同様であるので説明を省略する。
【０１５６】
＜効果＞
【０１５７】
実施形態４に記載の発明によれば、ユーザは録画予約の状況を整理された形で把握可能となるばかりでなく、その状況により、きわめて容易に録画の取消などを行うことが可能となる。
【０１５８】
＜＜実施形態５＞＞
【０１５９】
＜実施形態５の概念＞
【０１６０】
実施形態５は、実施形態１から４のいずれか一において、印刷部は、印刷情報の出力動作を一定期間（時刻）毎に自動的に行う自動印刷手段を有することを特徴とするデジタル放送受信装置に関する。それ以外の点は同様であるので、相違点のみ説明する。
【０１６１】
＜構成要件の明示＞、＜構成要件の説明＞
【０１６２】
実施形態１から４のいずれか一と同様であるので説明を省略する。
【０１６３】
＜処理の流れ＞、＜動作フローチャート＞
【０１６４】
印刷部は、印刷情報の出力動作を一定期間（時刻）毎に自動的に行う自動印刷手段を有することを特徴とする以外は、実施形態１から４のいずれか一と同様であるので説明を省略する。
【０１６５】
＜効果＞
【０１６６】
実施形態５に記載の発明により、ユーザは機器の電源の状況を意識することなく、また、機器操作を自ら行うことなく、番組情報の一覧を得ることが可能となる。
【０１６７】
＜＜実施形態６＞＞
【０１６８】
＜実施形態６の概念＞
【０１６９】
実施形態６は、実施形態１から４のいずれか一において、印刷部は、印刷情報の出力動作を、予め登録したジャンル情報に基づき、自動的に行う特定ジャンル印刷手段を有することを特徴とするデジタル放送受信装置に関する。また、取消指示に基づいて登録ジャンル番組録画予約の取消を行うことを特徴とするデジタル放送受信装置に関する。それ以外の点は同様であるので、相違点のみ説明する。
【０１７０】
＜構成要件の明示＞、＜構成要件の説明＞
【０１７１】
実施形態１から４のいずれか一と同様であるので説明を省略する。
【０１７２】
＜処理の流れ＞、＜動作フローチャート＞
【０１７３】
図１０はＥＰＧの印刷出力にあたって、特定ジャンルのみの番組を選択的にＥＰＧ情報として構成した上で、印刷した例である。また、特定ジャンルはユーザの嗜好に沿うものとの判断に基づき、印字を行うと共に、録画の予約を自動的に実施し、実施形態４と同様の録画取消用の欄を合わせて印刷することで、ユーザの利便性を更に向上させることが出来る。実施形態６では、このことを表すために、特定ジャンルを選択的に印字し、かつ、太枠で囲うことで、録画予約済みであることを表すと共に、録画取消用の欄を設けている。
【０１７４】
それ以外の点は、実施形態１から４のいずれか一と同様であるので説明を省略する。
【０１７５】
＜効果＞
【０１７６】
実施形態６に記載の発明により、ユーザの嗜好などをある程度反映する形で、当該ジャンル番組の録画予約の忘失を効果的に予防することが出来る。
【０１７７】
さらに、該当するジャンルの番組の録画予約を予め自動的に行い、予約の取消をユーザが行うことで、録画予約の忘失をより一層効果的に防止することが出来る。
【発明の効果】
本発明によれば、一覧性に優れた放送予定番組表のユーザへの提示に加え、紙への直接記入という、人間の感性に直結する方法での録画予約を提供することが可能となる。
【０１７８】
また、本発明によれば、一覧性の改善に加え、録画予約のマーキング欄を合わせて出力し、かつ、印刷出力にユーザが施したマーキングを読み込むことで、録画予約が完了する機能の提供など、ユーザに対して更なる利便性を提供することが可能となる。
【０１７９】
さらに、もともと受信装置に具備されているＥＰＧに対して予約状況を反映可能とすることでユーザの利便性を向上させる。加えて、デジタル放送に特有のジャンル情報を用いて、ユーザに対して真に必要な番組情報のみをフィルタリングする形で提供することで、ユーザの利便性を更に向上させる。さらに、ユーザの嗜好傾向の学習機能を合わせることで、更に高度な利便性を提供することが可能となる。
【図面の簡単な説明】
【図１】実施形態１の構成図
【図２】実施形態１の印刷出力例
【図３】実施形態１の予約方法１
【図４】実施形態１の予約方法２
【図５】実施形態１の動作フローチャート
【図６】実施形態２の構成図
【図７】実施形態２の動作フローチャート
【図８】実施形態３の位置インデックス印刷
【図９】実施形態４の予約済印刷・取消枠印刷
【図１０】実施形態６の特定ジャンル表示
【図１１】従来の構成図
【符号の説明】
０１００  デジタル放送受信装置
４  番組スケジュール情報選択受信部
８  システム制御部
８１  電子番組表構成部
８１１  ＥＰＧ情報抜取手段
８１２  ＥＰＧ情報構成手段
８２  印刷部
８２１  印字情報発生手段
８２２  印字情報出力手段
８３  録画指示読取部
８４  録画予約部
８５  録画指示電子番組表出力部
【図１】
2004289483.tif 000003
【図２】
2004289483.tif 000004
【図３】
2004289483.tif 000005
【図４】
2004289483.tif 000006
【図５】
2004289483.tif 000007
【図６】
2004289483.tif 000008
【図７】
2004289483.tif 000009
【図８】
2004289483.tif 000010
【図９】
2004289483.tif 000011
【図１０】
2004289483.tif 000012
【図１１】
2004289483.tif 000013